(57)【要約】【課題】外出先で携帯電子機器を充電することのできる便利な携帯充電器を提供する。【解決手段】メインケース１は、サブケース２の内面の形状寸法に適合する絞り部１１を有し、サブケース２に差し込まれる。メインケース１及びサブケース２内に収納された乾電池Ｂ１，Ｂ２は、各端子４１，４２，５１，５２に接触し、接続回路４３を介してコネクタ３に導通し、コネクタ３に接続された携帯電子機器を充電する。乾電池Ｂ１，Ｂ２の大きさに合わせてメインケース１のサブケース２への差し込み程度が調節され、調節された位置でメインケース１とサブケース２とが留め具により留められる。大きさの異なりに関わらず乾電池Ｂ１，Ｂ２は保持スプリング６１，６２により保持され、同一軸線上に位置する。【選択図】  図２
2004350430.tif 000002
【特許請求の範囲】
【請求項１】
携帯電子機器を充電する携帯充電器であって、内部に乾電池を収納する一対の本体ケースと、一方の本体ケースに設けられたコネクタとから構成されており、
コネクタは、携帯電子機器の充電用端子に接続可能な形状であり、
一方又は双方の本体ケースには、収納された乾電池の電極に接触して電極をコネクタに導通させる端子が設けられており、
一対の本体ケースは、コネクタとの導通を確保しつつ異なる大きさの乾電池を収納することができるものであることを特徴とする携帯充電器。
【請求項２】
前記一対の本体ケースは、一方が他方に差し込まれる構造のものであり、収納する乾電池の大きさに応じて差し込みの程度が調節できる構造のものであることを特徴とする請求項１記載の携帯充電器。
【請求項３】
収納する乾電池の大きさに応じた差し込み位置で一対の本体ケースを留める留め具が設けられていることを特徴とする請求項２記載の携帯充電器。
【請求項４】
前記留め具は、外側に位置する一方の本体ケースの内面に設けられた突起であり、内側に位置する他方の本体ケースの外面には、前記差し込み位置に対応して突起が嵌め込まれる複数の凹部が形成されていることを特徴とする請求項３記載の携帯充電器。
【請求項５】
携帯電子機器を充電する携帯充電器であって、内部に乾電池を収納する一対の本体ケースと、一方の本体ケースに設けられたコネクタとから構成されており、
コネクタは、携帯電子機器の充電用端子に接続可能な形状であり、
一方又は双方の本体ケースには、収納された乾電池の電極に接触して電極をコネクタに導通させる端子が設けられており、
一対の本体ケースは、コネクタとの導通を確保しつつ異なる大きさの乾電池を収納することができるものであり、
一対の本体ケースが分離した状態においても、コネクタに対する乾電池の導通が確保されるようにする導通確保具が設けられていることを特徴とする携帯充電器。
【請求項６】
前記導通確保具は、前記端子に対する前記乾電池の接触を磁力によって維持する磁石であることを特徴とする請求項５記載の携帯充電器。
【請求項７】
前記磁石は、前記端子に兼用されていることを特徴とする請求項６記載の携帯充電器。
【請求項８】
前記一対の本体ケースは、乾電池の大きさの異なりにかかわらず同一の軸上で乾電池を収納するものであり、この軸上で乾電池を保持する保持スプリングが設けられていることを特徴とする請求項１乃至７いずれかに記載の携帯充電器。
【発明の詳細な説明】
【０００１】
【発明の属する技術分野】
本願の発明は、携帯電話やＰＤＡ（Ｐｅｒｓｏｎａｌ  Ｄａｔａ  Ａｓｓｉｓｔａｎｔ）等の携帯電子機器を充電するための携帯充電器に関するものである。
【０００２】
【従来の技術】
モバイル技術の進歩に伴い、携帯電話、ＰＤＡ、モバイルコンピュータ等、様々な携帯電子機器が普及してきている。このような携帯電子機器のネックの一つは、充電の問題である。電池技術の進歩により、長時間の連続使用が可能になってきてはいるが、それでも、外出先で電池切れとなると、専用の充電器を持参していてＡＣコンセントがある場所にいない限り、その携帯電子機器の使用ができなくなってしまう。
【０００３】
【発明が解決しようとする課題】
本願発明は、上記のような課題を解決するために成されたものであり、外出先で携帯電子機器を充電することのできる便利な携帯充電器を提供する技術的意義を有する。
【０００４】
【課題を解決するための手段】
上記課題を解決するため、本願の請求項１記載の発明は、携帯電子機器を充電する携帯充電器であって、内部に乾電池を収納する一対の本体ケースと、一方の本体ケースに設けられたコネクタとから構成されており、
コネクタは、携帯電子機器の充電用端子に接続可能な形状であり、
一方又は双方の本体ケースには、収納された乾電池の電極に接触して電極をコネクタに導通させる端子が設けられており、
一対の本体ケースは、コネクタとの導通を確保しつつ異なる大きさの乾電池を収納することができるものであるという構成を有する。
また、上記課題を解決するため、請求項２記載の発明は、前記請求項１の構成において、前記一対の本体ケースは、一方が他方に差し込まれる構造のものであり、収納する乾電池の大きさに応じて差し込みの程度が調節できる構造のものであるという構成を有する。
また、上記課題を解決するため、請求項３記載の発明は、前記請求項２の構成において、収納する乾電池の大きさに応じた差し込み位置で一対の本体ケースを留める留め具が設けられているという構成を有する。
また、上記課題を解決するため、請求項４記載の発明は、前記請求項３の構成において、前記留め具は、外側に位置する一方の本体ケースの内面に設けられた突起であり、内側に位置する他方の本体ケースの外面には、前記差し込み位置に対応して突起が嵌め込まれる複数の凹部が形成されているという構成を有する。
また、上記課題を解決するため、請求項５記載の発明は、携帯電子機器を充電する携帯充電器であって、内部に乾電池を収納する一対の本体ケースと、一方の本体ケースに設けられたコネクタとから構成されており、
コネクタは、携帯電子機器の充電用端子に接続可能な形状であり、
一方又は双方の本体ケースには、収納された乾電池の電極に接触して電極をコネクタに導通させる端子が設けられており、
一対の本体ケースは、コネクタとの導通を確保しつつ異なる大きさの乾電池を収納することができるものであり、
一対の本体ケースが分離した状態においても、コネクタに対する乾電池の導通が確保されるようにする導通確保具が設けられているという構成を有する。
また、上記課題を解決するため、請求項６記載の発明は、前記請求項５の構成において、前記導通確保具は、前記端子に対する前記乾電池の接触を磁力によって維持する磁石であるという構成を有する。
また、上記課題を解決するため、請求項７記載の発明は、前記請求項６の構成において、前記磁石は、前記端子に兼用されているという構成を有する。
また、上記課題を解決するため、請求項８記載の発明は、前記請求項１乃至７いずれかの構成において、前記一対の本体ケースは、乾電池の大きさの異なりにかかわらず同一の軸上で乾電池を収納するものであり、この軸上で乾電池を保持する保持スプリングが設けられているという構成を有する。
【０００５】
【発明の実施の形態】
以下、本願発明の実施の形態（以下、実施形態）について説明する。
図１は、本願発明の第一実施形態の携帯充電器の外観概略図であり、（１）は正面図、（２）は側面図、（３）は、本体ケース１，２を完全に差し込んだ状態の正面図である。図２は、第一実施形態の携帯充電器の断面概略図であり、（１）は正面断面概略図、（２）は平面断面概略図である。
図１及び図２に示す携帯充電器は、一対の本体ケース１，２と、一方の本体ケース１に設けられたコネクタ３とから主に構成されている。以下、コネクタ３が設けられた本体ケース１を、メインケースと呼び、他方２をサブケースと呼ぶ。
【０００６】
メインケース１は、丸みをおびた小さな箱状であり、下面が開口となっている。コネクタ３は、メインケース１の上面に設けられている。尚、図１及び図２において、携帯充電器は、コネクタ３が上にくるように描かれているが、この状態は実使用状態を必ずしも意味する訳ではなく、コネクタ３が横を向いていたり、下を向いていたりしても良い。本実施形態の携帯充電器は、携帯電話を充電するものとなっている。従って、コネクタ３は、携帯電話の充電用端子に接続可能な構成となっている。
メインケース１は、下側の３／４ほどが上側の１／４ほどの部分に比べて断面積が小さくなっている。この断面積の小さな部分１１を、以下、絞り部と呼び、上側の部分１２をヘッド部と呼ぶ。断面積が異なることから、図１及び図２に示すように、ヘッド部１２と絞り部１１との間には段差が形成されている。
【０００７】
一方、サブケース２は、同様に丸みをおびた小さな箱状であり、上面が開口となっている。サブケース２の断面形状は、メインケース１、特にその絞り部１１の断面形状に適合したものとなっている。即ち、サブケース２の内面の形状は、絞り部１１の外面の形状に実質的に等しく、サブケース２の内面の寸法は、絞り部１１の外面の寸法から僅かに大きいものとなっている。図１及び図２に示すように、サブケース２はメインケース１の絞り部１１を覆うようにして装着されるようになっている。サブケース２の上端が絞り部１１とヘッド部１２との段差に突き当たった状態がサブケース２内に絞り部１１が完全に差し込まれた状態であり、この状態では、ヘッド部１２とサブケース２とは面一となる。
【０００８】
上記一対の本体ケース１，２は、内部に乾電池Ｂ１，Ｂ２を収納するものである。本実施形態では、一例として、単三電池や単四電池のような細長い乾電池Ｂ１，Ｂ２を２本横に並べて収納する構造が採用されている。即ち、図２（２）に示すように、メインケース１の絞り部１１の断面は、乾電池Ｂ１，Ｂ２を２本並べた断面の寸法形状より少し大きなものとなっている。
【０００９】
メインケース１のヘッド部１２には、一対の端子金具４１，４２が設けられている。端子金具の一方４１は、プラス（＋）用、もう一方４２はマイナス（−）用である。この端子金具を、メイン側＋端子４１、メイン側−端子４２と呼ぶ。一方、サブケース２の底面にも、一対の端子金具５１，５２が並べて設けられている。メイン側＋端子４１の下方に位置するのは、プラス（＋）用、メイン側−端子４２の下方に位置するのは、マイナス（−）用である。以下、これらの端子金具５１，５２を、サブ側＋端子、サブ側−端子と呼ぶ。本実施形態の携帯充電器は、二つの乾電池Ｂ１，Ｂ２を直列に接続するものであり、サブ側＋端子５１とサブ側−端子５２は、短絡板５３によって短絡されている。尚、サブ側＋端子５１及びサブ側−端子５２は、いずれも、板バネのような弾性を有するものとなっている。
【００１０】
メインケース１のヘッド部１２には、メイン側＋端子４１及びメイン側−端子４２をコネクタ３に接続する接続回路４３が設けられている。乾電池Ｂ１，Ｂ２を収納する場合、いったん、サブケース２をメインケース１から引き抜いて分離した後、一方の乾電池Ｂ１の＋電極をメイン側＋端子４１に当て、他方の乾電池Ｂ２の−電極をメイン側−端子４２に当てた状態で、二つの乾電池Ｂ１，Ｂ２をメインケース１の絞り部１１内に収納する。そして、サブケース２を再び差し込む。これにより、乾電池Ｂ１，Ｂ２の装着が完了する。装着状態では、一方の乾電池Ｂ１の−電極がサブ側−端子５２に接触し、他方の乾電池Ｂ２の＋電極がサブ側＋端子５１に接触した状態となる。この際、サブ側−端子５２及びサブ側＋端子５１が弾性を有するため、各乾電池Ｂ１，Ｂ２の電極に充分に押しつけられ、接触が完全なものとなる。
【００１１】
本実施形態の携帯充電器は、異なる大きさの乾電池Ｂ１，Ｂ２についても同様に装着して充電に用いることができるようになっている。以下、この点について説明する。
まず、メインケース１の絞り部１１には、図２に示すように、保持スプリング６１，６２が設けられている。保持スプリング６１，６２は、複数設けられた板バネである。図２（２）に示すように、保持スプリング６１，６２は、収納される各乾電池Ｂ１，Ｂ２を取り囲むよう設けられている。本実施形態では、五個程度の保持スプリング６１，６２が一つの組となり、一つの乾電池Ｂ１，Ｂ２が保持されるようになっている。
【００１２】
図２（２）から解るように、サブ側−端子５２とメイン側＋端子４１とを結ぶ仮想的な線を軸とすると、一方の乾電池Ｂ１を保持する一方の組の保持スプリング６１は、この軸に対して同軸の円周を成すよう設けられている。より正確には、一方の組の保持スプリング６１が、断面形状において、同軸の一つの円周に接した状態となるよう設けられている。もう一方の乾電池Ｂ２を保持する他方の組の保持スプリング６２についても、同様である。サブ側＋端子５１とメイン側−端子４２とを結ぶ仮想的な軸に対して同軸の円周を成すよう設けられている。
【００１３】
また、図２（１）に示すように、各保持スプリング６１，６２の下端は、絞り部１１の下端開口の縁に固定されている。各保持スプリング６１，６２は、絞り部１１の下端開口の縁から上方に延び、上側部分が内側に折れ曲がっている。一つの乾電池Ｂ１，Ｂ２を保持する一つの組の保持スプリング６１，６２において、折れ曲がった上側部分（以下、屈曲部）の先端は、収納される最も小さい乾電池Ｂ１，Ｂ２の径よりも少し大きな円周を成すものとなっている。また、各保持スプリング６１，６２の絞り部１１の内面に沿った部分は、収納される最も大きな乾電池Ｂ１，Ｂ２の径よりも少し小さな円周を成すものとなっている。従って、最も小さな乾電池Ｂ１，Ｂ２を収納した場合でも、保持スプリング６１，６２の弾性力が作用し、乾電池Ｂ１，Ｂ２が保持される。尚、各保持スプリング６１，６２は、絞り部１１の内面に沿った部分において絞り部１１の内面に対して固定されている。
【００１４】
また、本実施形態の携帯充電器は、乾電池Ｂ１，Ｂ２の異なる大きさに対応した位置で一対の本体ケース１，２を留める留め具を備えている。留め具は、本実施形態では、サブケース２の内面に形成された突起で形成されている。また、絞り部１１の外面には、乾電池Ｂ１，Ｂ２の異なる大きさに対応した位置に、突起７１が嵌まる凹部７２が設けられている。本実施形態では、凹部７２は三つ設けられており、異なる三つの大きさの乾電池Ｂ１，Ｂ２（例えば単三、単四、単五）に対応できるようになっている。尚、留め具の構成としては、絞り部１１の外面に突起が設けられており、サブケース２の内面に凹部が設けられた構成でもよい。
【００１５】
最も大きな乾電池Ｂ１，Ｂ２を装着した場合、最も下側の凹部７２に突起７１が嵌まり込んだ状態でサブケース２がメインケース１に装着される。最も小さな乾電池Ｂ１，Ｂ２を装着した場合、絞り部１１がサブケース２内に完全に差し込まれた状態となり、突起７１は最も上側の凹部７２に嵌まり込んだ状態となる。また、中間の大きさの乾電池Ｂ１，Ｂ２を収納した場合は、突起７１は中間の凹部７２に嵌まり込んだ状態なる。尚、メインケース１やサブケース２は、ポリカーボネート（ＰＣ）樹脂等で形成されていて、ある程度の弾性を有する。突起７１が凹部７２に嵌まり込んでいない場合には、サブケース２は僅かに変形し、突起７１が凹部７２に嵌まり込むと、弾性により元の形状に戻る。
前述した説明から解るように、最も大きな（径の大きい）乾電池Ｂ１，Ｂ２を収納した場合、各保持スプリング６１，６２の屈曲部は、最も外側に変形した状態となる。そして、最も小さい乾電池Ｂ１，Ｂ２を収納した場合、屈曲部の変形量が最も小さくなる。
【００１６】
上記構成の携帯乾電池Ｂ１，Ｂ２は、携帯電話とともに外出の際に携帯される。そして、携帯電話が電池切れになりそうな場合に、上述したように乾電池Ｂ１，Ｂ２を収納してコネクタ３を携帯電話の充電用端子に接続する。これにより、携帯電話が充電される。本実施形態によれば、乾電池Ｂ１，Ｂ２があれば携帯電話を充電できるので、非常に便利である。携帯電話専用の充電用器具を持ち歩くことは煩わしいし、ＡＣコンセントが無い場所では充電できない。乾電池Ｂ１，Ｂ２は小さいので持ち歩いても煩雑ではないし、持ち歩かない場合でも、コンビニエンスストアや駅の売店などで、容易に購入することができる。従って、携帯電話が電池切れになってもすぐに容易に充電が行える。
【００１７】
その上、本実施形態では、異なる大きさの乾電池に対応しているので、さらに便利なものとなっている。即ち、一種類の乾電池にしか対応していないと、その乾電池を持っているか、または購入できない限り、充電ができない。本実施形態では、対応する三つの種類の乾電池のいずれかを持っているか、購入できれば充電ができる。
【００１８】
また、本実施形態では、留め具が設けられているので、各サイズの乾電池Ｂ１，Ｂ２を装着した状態において、一対の本体ケース１，２の係合状態が安定する。このため、何らかの拍子で本体ケース１，２が外れて乾電池Ｂ１，Ｂ２が飛び出してしまう虞がない。尚、留め具としては、前述した突起７１と凹部７２の組み合わせの他、スプリングを使用して弾性力により留める構成や、磁石を使用して留める構成が採用されることもある。
さらに、本実施形態では、乾電池Ｂ１，Ｂ２の大きさの異なりにかかわらず乾電池Ｂ１，Ｂ２を同一軸上で保持する保持スプリング６１，６２が設けられているので、大きさの異なりにかかわらず本体ケース１，２内で乾電池Ｂ１，Ｂ２が安定して収納されるという長所がある。
【００１９】
次に、本願発明の第二実施形態の携帯充電器について説明する。
図３は、本願発明の第二実施形態の携帯充電器の外観概略図であり、（１）は正面図、（２）は側面図である。図３は、いずれも、本体ケース１，２を完全に差し込んだ状態の図である。図４は、第二実施形態の携帯充電器の正面断面概略図である。
【００２０】
第二実施形態の携帯充電器も、第一実施形態と同様、メインケース１及びサブケース２から成る一対の本体ケース１，２と、メインケース１に設けられたコネクタ３とから主に構成されている。この実施形態の携帯充電器の大きな特徴点は、使用できる乾電池Ｂ１，Ｂ２の種類をさらに多くするため、メインケース１とサブケース２とが分離した状態でも乾電池Ｂ１，Ｂ２を収納して充電が行えるようにしている点である。具体的には、メインケース１とサブケース２とが分離した状態でも、サブケース２における乾電池Ｂ１，Ｂ２の導通が確保されるようにする導通確保具が設けられている。導通確保具は、本実施形態では、磁力によるものであり、磁石によって構成されている。
【００２１】
メインケース１は、第一実施形態と同様、絞り部１１とヘッド部１２とから成る。絞り部１１の高さは、第一実施形態に比べるとかなり小さい。それに対応して、サブケース２の高さも第一実施形態と比べるとかなり小さくなっている。この実施形態においても、完全差し込み状態では、サブケース２の上端は、絞り部１１とヘッド部１２との段差に突き当たり、メインケース１とサブケース２とは面一の状態となる。
【００２２】
導通確保具としての磁石は、各端子４１，４２，５１，５２に兼用されている。即ち、メイン側＋端子４１及びメイン側−端子４２は、磁石となっている。メイン側＋端子４１及びメイン側−端子４２の形状は、第一実施形態と同様である。また、図４に示すように、サブケース２の底面には、磁石ベース８が設けられている。磁石ベース８は、短絡板５３に固定して設けられており、磁石ベース８、短絡板５３及びサブ側端子５１，５２がすべて磁石となっている。磁石ベース８、短絡板５３及び一対のサブ側端子５１，５２が一体の金属となっており、それが磁化される場合もある。
【００２３】
この第二実施形態において乾電池Ｂ１，Ｂ２を収納する場合、一方の乾電池Ｂ１をその＋電極がメイン側＋端子４１に当たった状態で差し込み、もう一方の乾電池Ｂ２をその−電極がメイン側−端子４２に当たった状態で差し込む。その後、サブケース２を下から被せ、一方の乾電池Ｂ１の−電極をサブ側−端子５２に接触させ、もう一方の乾電池Ｂ２の＋電極をサブ側＋端子５１に接触させる。最初に乾電池Ｂ１，Ｂ２をサブケース２内に収納し、それから乾電池Ｂ１，Ｂ２をメイン側端子４１，４２に接触させて磁力により保持させても良い。
【００２４】
図４に示すように、大きな乾電池Ｂ１，Ｂ２を収納した場合、サブケース２はメインケース１から分離した状態となる。この場合でも、各端子４１，４２，５１，５２の磁力により、サブケース２は乾電池Ｂ１，Ｂ２から離れないようになっているとともに、二つの乾電池Ｂ１，Ｂ２の導通が確保される。尚、最も小さい乾電池Ｂ１，Ｂ２を収納した場合、第一実施形態と同様に、サブケース２の上端が絞り部１１とヘッド部１２との段差に突き当たり、完全差し込み状態となる。
【００２５】
この第二実施形態によれば、メインケース１とサブケース２とが分離した状態でもサブケース２における乾電池Ｂ１，Ｂ２の導通が確保されるようにする導通確保具が設けられているので、さらに多くの種類の乾電池Ｂ１，Ｂ２を使用することができるようになっている。第一実施形態の場合、メインケース１にサブケース２が係止された状態で乾電池Ｂ１，Ｂ２が装着されることが前提になっているので、メインケース１の絞り部１１の高さとサブケース２の高さの和（絞り部１１の高さの２倍）の長さまでの乾電池Ｂ１，Ｂ２しか本質的に収納できない。この第二実施形態によれば、それより長い乾電池Ｂ１，Ｂ２を収納でき、本質的に長さの制限はない。この点で、さらに利便性の高いものとなっている。
【００２６】
尚、導通確保具としての磁石がサブ側端子５１，５２に兼用されることは必須条件ではなく、サブ側端子５１，５２とは別に磁石が設けられても良い。例えば、サブケース２の側部内面に磁石を設け、それによってサブ側端子５１，５２との導通を確保しつつ乾電池Ｂ１，Ｂ２を保持してもよい。但し、導通確保具としての磁石がサブ側端子５１，５２に兼用されると、充電器の構造がシンプルになり、部品点数の削減により低コスト化が図れるメリットがある。
【００２７】
また、導通確保具が磁石であることは必須条件ではなく、磁石以外の導通確保具もあり得る。例えば、板バネ等を設けて弾性力によって導通確保しつつ乾電池Ｂ１，Ｂ２を保持する場合や、嵌め合わせ機構により導通確保しつつ乾電池Ｂ１，Ｂ２を保持する場合があり得る。尚、導通確保具が磁石から構成される場合、機構的なものに比べて構造的にシンプルにできるメリットがある。
【００２８】
上記各実施形態では、乾電池Ｂ１，Ｂ２は単三や単四のような断面円形の細長いものであったが、単一や単二のような形状のものを装着するよう構成される場合もあり、立方体状の乾電池を装着するよう構成される場合もある。このようなものでも、同様に実施できる。
【００２９】
また、充電する携帯電子機器は、携帯電話の場合だけでなく、ＰＤＡ、ノートパソコンのようなモバイルコンピュータ、電子辞書や電子図書のようなデジタルビューワ、ＩＣレコーダー、デジタルカメラ、携帯型のＣＤプレーヤー、ＭＤプレーヤー、ＭＰ３プレーヤー等、各種の携帯電子機器を充電するよう構成することが可能である。充電する携帯電子機器の充電用端子の形状に合わせて、携帯充電器のコネクタ３が構成される。
【００３０】
上記各実施形態では、収納される乾電池の数は２つであったが、これは何ら限定的ではなく、１つのみの乾電池を収納するタイプでも良いし、３つ、４つ、又はそれ以上の乾電池を収納するタイプでも良い。
また、コネクタ３がメインケース１に設けられることは必須条件ではなく、サブケース２に設けられていても良い。さらに、乾電池をコネクタ３に対し導通させる端子は、一方の本体ケース１，２のみに設けられる場合もある。例えば、１２Ｖ乾電池のような立方体状の乾電池で一つの面に一対の電極があるタイプの乾電池の場合、一方の本体ケース１，２のみに一対の端子があるだけで足りる場合がある。
【００３１】
【発明の効果】
以上説明した通り、本願の請求項１記載の発明によれば、乾電池があれば携帯電子機器を充電できるという利便性がもたらされる。その上、異なる大きさの乾電池に対応しているので、さらに利便性が高くなっている。
また、請求項３記載の発明によれば、上記効果に加え、留め具が設けられているので、各サイズの乾電池を装着した状態において、一対の本体ケースの係合状態が安定する。このため、何らかの拍子で本体ケースが外れて乾電池が飛び出してしまう虞がない。
また、請求項５記載の発明によれば、乾電池があれば携帯電子機器を充電できるという利便性がもたらされる。その上、異なる大きさの乾電池に対応しているので、さらに利便性が高くなっている。さらに、一対の本体ケースが分離した状態でも乾電池の導通が確保されるようにする導通確保具が設けられているので、さらに多くの種類の乾電池を使用することができるようになっており、この点でさらに利便性が高められている。
また、請求項６記載の発明によれば、上記効果に加え、導通確保具が磁石から構成されているので、機構的なものに比べて構造的にシンプルにできるメリットがある。
また、請求項７記載の発明によれば、上記効果に加え、導通確保具としての磁石が端子に兼用されているので、充電器の構造がシンプルになり、部品点数の削減により低コスト化が図れるメリットがある。
また、請求項８記載の発明によれば、上記効果に加え、乾電池の大きさの異なりにかかわらず乾電池を同一軸上で保持する保持スプリングが設けられているので、大きさの異なりにかかわらず本体ケース内で乾電池が安定して収納されるという長所がもたらされる。
【図面の簡単な説明】
【図１】本願発明の第一実施形態の携帯充電器の外観概略図であり、（１）は正面図、（２）は側面図、（３）は、本体ケース１，２を完全に差し込んだ状態の正面図である。
【図２】第一実施形態の携帯充電器の断面概略図であり、（１）は正面断面概略図、（２）は平面断面概略図である。
【図３】本願発明の第二実施形態の携帯充電器の外観概略図であり、（１）は正面図、（２）は側面図で、いずれも、本体ケース１，２を完全に差し込んだ状態の図である。
【図４】第二実施形態の携帯充電器の正面断面概略図である。
【符号の説明】
１  メインケース
１１  絞り部
１２  ヘッド部
２  サブケース
３  コネクタ
４１  メイン側＋端子
４２  メイン側−端子
４３  接続回路
５１  サブ側＋端子
５２  サブ側−端子
６１  保持スプリング
６２  保持スプリング
７１  突起
７２  凹部
８  磁石ベース
Ｂ１  乾電池
Ｂ２  乾電池
【図１】
2004350430.tif 000003
【図２】
2004350430.tif 000004
【図３】
2004350430.tif 000005
【図４】
2004350430.tif 000006